(57)【要約】【課題】  掛止め板をスライド移動と回転とにより簡単に観音開き扉をロックすることのできる扉の開放防止装置を提供する。【解決手段】  一方の扉２１に固定される掛け止部材２と、他方の扉２２に固定される支持部材３と、該支持部材に上下にスライド移動可能かつ回転可能に支持された掛止め板１とを有しており、前記掛け止部材２と支持部材３とを固定した状態で、前記掛止め板１をスライド移動させ回転させると、この掛止め板１に形成された係合爪８ａが前記掛け止部材２に形成された係合爪８ｂと係合し、扉２１，２２がロック状態に保持される。【選択図】  図１
2008069532.tif 000002
【特許請求の範囲】
【請求項１】
２枚の観音開きの扉（２１，２２）の合わせ目（２５）に交差して横向きに配置される扉の開放防止装置であって、一方の扉（２１）に設けた固定部材（２）と、他方の扉（２２）に設けた支持部材（３）と、前記支持部材（３）に設けられた縦ガイド（５ｂ）に支持された掛止め板（１）で構成され、前記掛止め板（１）は、その長手方向に開口する狭幅のガイド溝（４）と、このガイド溝（４）より直径の大きな回転開口部（４ａ）を少なくとも１カ所設け、前記掛止め板（１）の一方の裏面には、前記固定部材（２）に設けた受入部（８ｂ）に係合する係合突起（８ａ）が設けられていることを特徴とする扉の開放防止装置。
【請求項２】
前記縦ガイド（５ｂ）は、前記ガイド溝（４）とほぼ同じ大きさの扁平に形成されており、前記掛止め板（１）が縦方向に移動可能に形成されていることを特徴とする請求項１に記載の扉の開放防止装置。
【請求項３】
前記支持部材（３）の上方に、前記掛止め板（１）の裏面に設けた係合突起（８ａ）を収納する収納部（３ａ）を設けたことを特徴とする請求項１に記載の扉の開放防止装置。
【発明の詳細な説明】
【技術分野】
【０００１】
本発明は、地震発生時において観音開き扉を有する戸棚等の扉が開放され、収納されていた食器等が戸棚の外に放出されるのを防止する扉の開放防止装置に関する。
【背景技術】
【０００２】
食器戸棚等の扉が地震により開放され、収納されている食器類が外に放出され、破損することがあった。このような事故を防止するため、食器戸棚等の扉を固定する器具が提案されている（例えば、特許文献１）。
【０００３】
この器具は、右扉と左扉とを有する物入扉において、右扉を固定し、この右扉と左扉とを鎖で連結することにより、扉が全面開放するのを防止するものである。具体的には、右扉を扉固定具により固定し、さらにこの右扉の内側にストッパー部材を有する鎖を固定し、このストッパー部材を受入れる差込穴が設けられたストッパー受具を左扉の内側に固定し、前記ストッパー部材をこのストッパー受具の差込穴に挿入するというものである。この器具は、右扉の内側に固定されたストッパー部材を左扉に固定されたストッパー受具の差込穴に挿入するだけで、扉の全面開放が防止される。
【０００４】
ところが、この器具は、扉の内側にストッパー部材が固定されているので、これを操作するために扉を開かなくてはならず、必然的に鎖の長さはストッパー部材を操作できる長さとなり、この鎖の全長分は扉が開いてしまうという問題があった。また、ストッパー部材等が扉の内側にあるので操作性が悪いという問題があった。
【０００５】
前記固定具の他に、ワイヤーの両側に吸盤を設けた器具が知られている（例えば、特許文献２）。
【０００６】
この器具は、観音開き扉のような両開き扉において、右扉と左扉とに１つずつ吸盤を貼り付けて、ワイヤーの張力により扉の開放を防止しようとするものである。
【０００７】
しかしながら、地震等の振動により扉のガラスが割れると扉の開放防止器具として役に立たないという問題があった。また、ガラス面のような平滑面にしか吸盤が吸着しないので、木枠等には使用できないという問題もあった。
【０００８】
さらには、吸盤の吸着力が低下しないように、吸盤と吸着面とに埃や汚れが付着しないように頻繁に掃除をしなければならないという問題があった。また、使用時には扉のガラス面に吸盤が張り付いた状態となるので、外観が損なわれるという問題と、未使用時には器具を紛失しないように一方の扉のガラス面等に貼り付けられた状態となるので著しく外観が損なわれるという問題もあった。
【特許文献１】特開２００４−６０５２１号公報
【特許文献２】実用新案登録第３１０８７３８号
【発明の開示】
【発明が解決しようとする課題】
【０００９】
本発明は、簡単な操作で扉の開放を防止することができ、その操作の度に位置合わせ等が不要である扉の開放防止装置を提供することを目的とする。
【課題を解決するための手段】
【００１０】
前記目的を達成するための本願発明に係る扉の開放防止装置は、
１）２枚の観音開きの扉（２１，２２）の合わせ目（２５）に交差して横向きに配置される扉の開放防止装置であって、一方の扉（２１）に設けた固定部材（２）と、他方の扉（２２）に設けた支持部材（３）と、前記支持部材（３）に設けられた縦ガイド（５ｂ）に支持された掛止め板（１）で構成され、前記掛止め板（１）は、その長手方向に開口する狭幅のガイド溝（４）と、このガイド溝（４）より直径の大きな回転開口部（４ａ）を少なくとも１カ所設け、前記掛止め板（１）の一方の裏面には、前記固定部材（２）に設けた受入部（８ｂ）に係合する係合突起（８ａ）が設けられていることを特徴とする。
２）前記縦ガイド（５ｂ）は、前記ガイド溝（４）とほぼ同じ大きさの扁平に形成されており、前記掛止め板（１）が縦方向に移動可能に形成されていることを特徴とする。
３）前記支持部材（３）の上方に、前記掛止め板（１）の裏面に設けた係合突起（８ａ）を収納する収納部（３ａ）を設けたことを特徴とする。
【発明の効果】
【００１１】
本発明に係る扉の開放防止装置は、掛止め板を所定の位置まで上方にスライドさせ、この掛止め板に形成された係合突起を固定部材に設けた受入部に上方より押込むだけで該掛止め板が固定されるので、扉を確実にロックすることができる。また、扉のロックを解除するには、扉をロックするのとは逆の操作を行うだけなので、操作性がよい。
【００１２】
扉のロックを解除した状態、つまり、装置を使用しない状態において、掛止め板は支持部材に沿って収納された状態となる。この状態では、前記掛止め板の係合突起が支持部材の収納部に収納されるので、コンパクトに収納される。また、通常開閉操作時において振り子のように揺れて目障りとなることがない上に、支持部材と掛止め板とがぶつかり合って音が生じるようなことがない。
【発明を実施するための最良の形態】
【００１３】
以下、本発明の実施の形態を図面を参照して説明する。
（第１実施例）
第１の実施形態について図１〜図１３を参照して説明する。図１は、本発明に係る扉の開放防止装置Ａの使用状況概略図である。図１に示す如く、棚２０は、左右の扉２１，２２は、その両端の上下付近がヒンジ２１ａ，２１ａ，２２ｂ，２２ｂにより支持されており、扉２１，２２の合わせ目２５の近傍の裏面に設けた磁石等の固定手段により扉が開かないようになっている。そして、この扉の合わせ目２５の略中間近傍には取手２１ｂ，２２ｂが設けられており、この取手２１ｂ，２２ｂを手前に引張ると前記固定手段の固定状態が解除されて観音開き式に扉２１，２２が開くようになっている。
【００１４】
図１に示す装置Ａは、前記棚２０の右側の扉２１に固定部材２を固定し、左側の扉２２に支持部材３を固定し、掛止め板１が支持部材３と固定部材２に支持されている状態を示す。本実施例は、前記取手２１ｂ，２２ｂの上方に装置Ａを配設しているが、勿論取手２１ｂ，２２ｂの下方でもよい。
【００１５】
本発明に係る扉の開放防止装置Ａは、合成樹脂の射出成型により成型されており、合成樹脂としては、例えば、ＡＳ樹脂、ＡＢＳ樹脂、ポリカーボネート樹脂、ポリアセタール樹脂、ポリプロピレン樹脂、ナイロン樹脂等を使用することができる。
【００１６】
次に、図２及び図４に示す如く、装置Ａは、一方の扉２１に設けた固定部材２と、他方の扉２２に設けた支持部材３と、該支持部材３に形成された突起状の縦ガイド５ａに支持された掛止め板１とで構成されており、前記掛止め板１の長手方向に開口する狭幅のガイド溝４と、このガイド溝４より拡幅された回転開口部４ａが所定間隔に２カ所設けられている。また、前記掛止め板１の裏面の長手方向の一方には、前記固定部材２に設けた受入部８ｂに係合する係合突起８ａが設けられている。
【００１７】
さらに、前記縦ガイド５ｂは、前記ガイド溝４の幅とほぼ同じ幅であると共に、前記支持部材３の長手方向に扁平に形成されている（図３及び図４）。
【００１８】
また、図７（ｂ）に示す如く、支持部材３の裏面の上方には、前記掛止め板１の逆回転防止部材９を嵌め込む取付溝３ｆが形成されている。そして、図４に示すように逆回転防止部材９を支持部材３に取り付けると、逆回転防止突起９ａが支持部材３より突出する。
【００１９】
前記支持部材３と固定部材２との裏面、つまり、扉２１，２２との接触面には両面テープや粘着シート等の固定手段が設けられており、扉等の対象物に固定されるようになっている。また、この支持部材３と固定部材２にはビス止め用のビス穴１０が設けられている。
【００２０】
さらに、図４及び図７（ａ）に示す如く、支持部材３の上端には、掛止め板１に形成された係合突起８ａを収納する収納室３ａが形成されている。
【００２１】
また、掛止め板１に形成された回転開口部４ａは略円形状をしており、該回転開口部４ａに縦ガイド５ｂを導入した状態において掛止め板１を時計方向と反時計方向とに回転できるようになっている。さらに、図１２に示す如く、逆回転防止突起９ａが支持部材３より突出しており、前記掛止め板１を上方に引き上げた状態で該掛止め板１の左側が前記突起９ａに接近した状態となる。そして、この実施例においては、前記掛止め板１を逆方向（反時計回り）に回転させようとすると前記突起９ａがこの掛止め板１に接触し、反時計方向の回転ができないようになっている。また、前記突起９ａは、掛止め板１を収納する際に該掛止め板１が回転しすぎないように案内をするようにもなっている。
【００２２】
そして、支持部材３に支持された掛止め板１は、この支持部材３に形成された縦ガイド５ｂと前記掛止め板１に形成されたガイド溝４とにより、該ガイド溝４の狭幅部４ｈで上下にスライドし、回転開口部４ａ内に前記ガイドピン５ｂを導入すると前記掛止め板１を回転させることができる。
【００２３】
扉２１，２２をロックする操作は、掛止め板１のリブ１ｂにガイド盤５ａが当接するまで上方に引き上げ、次いで、掛止め板１を時計方向に回転させて該掛止め板１と固定部材２とを係合させる。すると、掛止め板１が支持部材３と固定部材２とを介して扉２１，２２に張り付いたような状態となり、扉２１，２２はロックされる。
【００２４】
扉のロックを解除するには、前記掛止め板１を反時計方向に回転させて固定部材２との係合を解除する。掛止め板１を９０°程度回転させると、縦ガイド５ｂがガイド溝４を通過できるようになり、扉の開放を妨げる掛止め板１が支持部材３に収納される。
【００２５】
上記では、掛止め板１を最長の長さで使用する場合について説明をしたが、次に、掛止め板１に位置決め部材６を取着して、掛止め板１を短い長さで使用する場合について図面を参照して説明する。
【００２６】
位置合わせ部材６は、支持部材３に収納されている掛止め板１を上方に引き上げるだけで該掛止め板１の略中間に設けられた回転開口部４ａと支持部材３の縦ガイド５ｂとの位置が合わされせるものである。
【００２７】
図面を参照し、更に詳しく説明する。図５（ｃ）に示す如く、掛止め板１の裏面には係合溝１２が設けられており、図６に示す如く、位置決め部材６には略円弧状の当接凹部６ｆが形成され、他方には滑り止め１１を有する係合爪１３が設けられている。また、位置決め部材６の当接凹部６ｆ側の裏面には係合傘１５が形成されている。
図５（ｃ）に示す如く、掛止め板１の裏面には係合溝１２が設けられており、図６に示す位置決め部材６に形成された係合部１３が係合するようになっている。
【００２８】
また図６（ｂ）等に示す如く、前記位置合わせ部材６の裏面には係合凸部１５が形成されており、この係合凸部１５は係合傘１５ａが設けられている。そして、前記係合凹部１６と係合傘１５ａとが係合すると共に、係合溝１２と係合爪１３とが係合するようになっている。
【００２９】
さらに、掛止め板１の略中央の回転開口部４ａの裏面には他方の回転開口部４ａ側に延長された係合凹部１６が形成されている。
【００３０】
位置決め部材６を掛止め板１に取着するには、該位置決め部材６の裏面に形成された係合傘１５を係合凹部１６の形成された回転開口部４ａに挿通させ、この位置決め部材６を掛止め板１の係合溝１２側に押し込む操作をする。この操作により、位置決め部材６の係合爪１３と前記係合溝１２とが係合すると共に前記係合傘１５と係合凹部１６とが係合し、位置合わせ部材６は掛止め板１に固定される（図９）。
【００３１】
位置決め部材６を取着した装置Ａの操作は、前記掛止め板１を上方に引き上げ、前記位置合わせ部材６の略円弧状の当接凹部６ｆと前記支持部材３に設けられたガイド盤５の周縁を当接させる。次いで、この当接した状態で掛止め板１を時計方向に回転させるだけで、該掛止め板１と固定部材２とが係合し、扉２１，２２はロック状態となる。
【００３２】
また、扉の開放防止装置Ａは、例えば、前記掛止め板１に位置決め部材６を取り付けた状態で販売される。利用者は、本装置Ａを取り付けようとする扉２１，２２の幅Ｄや枠Ｄ１，Ｄ２に合わせて前記位置決め部材６を取着したり取り外したりして掛止め板１の長さを調節する。例えば、扉２１，２２の枠Ｄ１，Ｄ２が狭い場合は、位置決め部材６を取着して使用し、枠Ｄ１，Ｄ２が広い場合は位置決め部材６を取り外して使用する。
【００３３】
このように、本発明に係る扉の開放防止装置は、掛止め板をスライドさせて長さを調節することができるので、本装置１台のみで各種扉の枠のサイズに対応することができる。また、操作が簡単なので、利用者が操作を誤ることなく扉をロックしたり解除したりすることができる。さらに、逆回転防止部材の突出部を左右入れ替えることができるので、利き手や操作性に合わせて時計方向・反時計方向の回転に切り替えることができる。
【００３４】
（第２実施例）
次に、第２の実施形態について説明する。同一符号は、第１実施形態と同一部材であり、説明は省略する。
【００３５】
図１４は、本願発明に係る扉の開放防止装置Ａの第２の実施形態の概略図である。
【００３６】
本実施例においては、逆回転防止部材９を設けていないので、支持部材３の左側に固定部材２を配置して使用してもよい。
【００３７】
図１４に示す如く、回転開口部４ａが２箇所設けられており、掛止め板１の長さを２段階に調整できるようになっている。また、位置決め部材６は、第１の実施形態と同様の係合手段により掛止め板１に取着されるようになっている。
【００３８】
扉２１，２２をロックする操作は、掛止め板１を上方に引き上げ、ガイド盤５が位置合わせ部材６又はリブ１ｂに当接したところで該掛止め板１を時計方向に回転させ、掛止め板１と固定部材２とを係合させる（図１５）。扉２１，２２のロックを解除するには、ロック操作とは逆の手順で行う。
【００３９】
固定部材は支持部材の左右どちらにでも配置できるので、利用者の操作性に合わせて適宜配置することができる。
【００４０】
（実施例３）
次に、第３の実施形態について図１６，１７を参照して説明する。第１実施形態及び第２実施形態と同一部材には同一符号を付し、説明は省略する。
【００４１】
図１６及び図１７に示す如く、扉の開放防止装置Ａは、一方の扉２１に設けた固定部材２と、他方の扉２２に設けた支持部材３と、該支持部材３に形成された突起状の縦ガイド５ａに支持された掛止め板１とで構成されており、前記掛止め板１の長手方向に開口する狭幅のガイド溝４と、このガイド溝４より拡幅された回転開口部４ａが所定間隔に設けられている。また、前記掛止め板１の裏面の長手方向の一方には、前記固定部材２に設けた受入部８ｂに係合する係合突起８ａが設けられている。
【００４２】
さらに、前記縦ガイド５ｂは、前記ガイド溝４の幅とほぼ同じ幅であると共に、前記支持部材３の長手方向に扁平に形成されている。
【００４３】
また、図１６に示す如く、掛止め板１に３カ所設けられた回転開口部４ａは、イチジク形状のようになっていると共に左右非対称に形成されている。
【００４４】
また、前記掛止め板１には、位置合わせ部材６を取着させる係合穴１ａ，１ｄが設けられており、前記位置合わせ部材６の裏面に形成された突起をこの係合穴に挿入して取り付けられるようになっている。
【００４５】
さらに、前記掛止め板１の裏面の長手方向の一方には、係合突起８ａが形成されており、前記支持部材３にこれを収納した状態では、該支持部材３の上端に形成された収納部３ａ内に前記係合突起８ａが収納されている。
【００４６】
支持部材３に支持された掛止め板１は、この支持部材３に形成された縦ガイド５ｂと前記掛止め板１に形成されたガイド溝４とにより、該ガイド溝４の狭幅部４ｈ（幅Ｄ５）では上下に自由にスライドするが、掛止め板１はガイド溝４に当接するので回転しない。
【００４７】
掛止め板１は、この掛止め板１に形成された回転開口部４ａに前記ガイドピン５ｂを導入したときに始めて、該掛止め板１を時計方向に回転させることができる。その動作は、前記ガイドピン５ｂが回転開口部４ａの凹状の逃がし部４ｃに入り込み、次いで、前記縦ガイド５ｂが回転開口部４ａのストップ壁４ｄに当接するまで、掛止め板１が約９０°回転する。
【００４８】
そして、この装置Ａは、棚２０の扉２１，２２の枠の幅Ｄ２，Ｄ３に合わせて掛止め板１の長さが３段階に調整できるようになっており、位置合わせ部材６により長さ調整をする。掛止め板１を最長で使用する場合は、ガイド盤５ａが該掛止め板１のリブ１ｂに当接して位置合わせできるようになっている。
【００４９】
棚２０の扉２１，２２をロックするには、掛止め板１に形成されている摘み部１ｃをつまんで、位置合わせ部材６にガイド盤５が当接するまで上方に引き上げ、次いで、掛止め板１を時計方向に回転させ、この掛止め板１と固定部材２とを係合させ、扉２１，２２をロックする（図１７）。
【００５０】
扉２１，２２のロック状態を解除するには、前記掛止め板１を掛け止部材２から引き抜くように反時計方向に回転させ、係合突起８ａと受入部８ｂとの係合を解除させ、前記掛止め板１を前記支持部材３に収納する。
【００５１】
このように、逆回転防止部材を用いることなく、イチジク形状の回転開口部と縦ガイドとにより、掛止め板を支持部材より引き上げた際に反時計方向に回転することが制限され、かつ、時計方向に約９０°回転させるとその回転が制限され、掛止め板の回動領域を超えて操作できないことを利用者に知らせるので、利用者の操作性をより向上させる。
【００５２】
以上、説明したように、本願発明に係る扉の開放防装置により、掛止め板１をスライドさせて回転させるだけで扉をロックすることができ、また、その逆の操作するだけで扉を開けることができるので、日常的に開閉の多い扉、例えば、食器棚等に使用しても、扉のロック操作が利用者の負担になることがない。
【００５３】
また、掛止め板１に形成された係合突起８ａが支持部材３の収納室３ａ内に収納され支持されると共に、前記支持部材３に突出形成した縦ガイド５ｂにより支持されるので、掛止め板１を収納した状態での安定性に優れ、コンパクトに収納されるので棚の扉の外観を損ねることがない。
【００５４】
本発明に係る扉の開放防止装置は、本実施例に限定されるものではない。例えば、位置合わせ部材の取着方法は係合穴や係合突起等に限らず、適宜選択することができる。また、回転可動域の制限を回転開口部で行ったり、逆回転防止部材を用いたり、これらを組み合わせることもできる。
【００５５】
また、回転開口部を１カ所のみとし、数種類の長さの掛止め板を適宜選択して使用するようにしてもよい。このような場合、利用者が支持部材に掛止め板をピン留めできるようにピンを用意しておき、開放防止装置を取り付ける対象の扉に合わせて装置を組み立てるようになっている。
【００５６】
さらにまた、支持部材とピン、掛止め板、固定部材とは別体の部品として成型されているが、前記支持部材とピンとを一体的に成型したりして、部品点数を減らしてもよい。
【図面の簡単な説明】
【００５７】
【図１】本発明の実施形態に係る扉の開放防止装置の使用状態を示す図である。
【図２】本発明の実施形態に係る扉の開放防止装置の概略構成図である。
【図３】本発明の実施形態に係る扉の開放防止装置のロック解除状態の図である。
【図４】支持部材と逆回転防止部材の斜視図である。
【図５】（ａ）は掛止め板の正面図、（ｂ）は掛止め板の底面図、（ｃ）は掛止め板の背面図である。
【図６】（ａ）は位置決め部材の正面図、（ｂ）は位置決め部材の底面図、（ｃ）は位置決め部材の背面図である。
【図７】（ａ）は支持部材の正面図、（ｂ）は支持部材の背面図である。
【図８】（ａ）は逆回転防止部材の底面図、（ｂ）は逆回転防止部材の正面図である。
【図９】本発明の実施形態に係る扉の開放防止装置の位置決め部材を取着した状態の概略構成図である。
【図１０】位置決め部材を取着した装置で扉をロックした状態を示す図である。
【図１１】（ａ）は掛止め板を支持部材に収納した状態の左側断面図、（ｂ）は固定部材の左側断面図である。
【図１２】扉に配設した状態の装置の平面図である。
【図１３】扉がロック状態の装置の平断面図である。
【図１４】本発明の他の実施形態に係る扉の開放防止装置の概略構成図である。
【図１５】本発明の他の実施形態に係る扉の開放防止装置による扉のロック状態を示す図である。
【図１６】本発明のさらに他の実施形態に係る扉の開放防止装置の概略構成図である。
【図１７】本発明のさらに他の実施形態に係る扉の開放防止装置による扉のロック状態を示す図である。
【符号の説明】
【００５８】
Ａ      扉の開放防止装置
１      掛止め板
１ａ      位取付穴
１ｂ      リブ
１ｃ      摘み部
１ｄ      取付穴
１ｆ      係止溝
２      固定部材
２ｂ      受入凹部
３      支持部材
３ａ      収納部
３ｆ      逆回転防止部材取付溝
４      ガイド溝
４ａ      回転開口部
４ｂ      導入部
４ｃ      逃がし部
４ｄ      ストップ壁
４ｆ      曲線部
５      ピン
５ａ      ガイド盤
５ｂ      縦ガイド
６      位置合わせ部材
６ｂ      係止突起
６ｆ      当接部
８ａ      係合突起
８ｂ      受入部
９      逆回転防止部材
９ａ      逆回転防止突起
１０      ビス穴
１１      滑り止め
１２      係合溝
１３      係合爪
１５      係合凸部
１５ａ      支持体
１５ｂ      係合傘
１６      係合凹部
１８      金型穴
２０      棚
２１      右扉
２２      左扉
２５      扉の合わせ目
【図１】
2008069532.tif 000003
【図２】
2008069532.tif 000004
【図３】
2008069532.tif 000005
【図４】
2008069532.tif 000006
【図５】
2008069532.tif 000007
【図６】
2008069532.tif 000008
【図７】
2008069532.tif 000009
【図８】
2008069532.tif 000010
【図９】
2008069532.tif 000011
【図１０】
2008069532.tif 000012
【図１１】
2008069532.tif 000013
【図１２】
2008069532.tif 000014
【図１３】
2008069532.tif 000015
【図１４】
2008069532.tif 000016
【図１５】
2008069532.tif 000017
【図１６】
2008069532.tif 000018
【図１７】
2008069532.tif 000019